(57)【要約】【課題】  雨傘の雫が垂れる部分を納めると共に、雨傘から滴下する雫を貯めて、適宜貯まった雨水を確実に排出することができ、且つ設置スペースを小さくすることができる雫受け器を提供する。【解決手段】  本発明に係る雫受け器は、閉じられた雨傘の少なくとも先端部を収納可能な収納部３と、該収納部３に連設されて前記雨傘から滴下する雫を貯める貯水部４とを備える雫受け器であって、前記貯水部４は、先端部に開口８を有すると共に、該開口８を閉鎖する弁閉状態と、開口を開放する弁開状態とに切り替え可能な弁体１１が内部に設けられ、しかも、少なくとも先端部が収納部３内に挿入可能な形状であると共に、別の雫受け器の収納部３内に挿入された状態で、前記弁体１１の先端部が相手側の弁体１１の後端部と当接して両弁体１１，１１が作動的に連結するように構成される。【選択図】  図３
2010148588.tif 000002
【特許請求の範囲】
【請求項１】
閉じられた雨傘の少なくとも先端部を収納可能な収納部と、該収納部に連設されて前記雨傘から滴下する雫を貯める貯水部とを備える雫受け器であって、前記貯水部は、先端部に開口を有すると共に、該開口を閉鎖する弁閉状態と、開口を開放する弁開状態とに切り替え可能な弁体が内部に設けられ、しかも、少なくとも先端部が収納部内に挿入可能な形状であると共に、別の雫受け器の収納部内に挿入された状態で、前記弁体の先端部が相手側の弁体の後端部と当接して両弁体が作動的に連結するように構成されることを特徴とする雫受け器。
【請求項２】
前記弁体の先端部が押されることにより、前記貯水部が弁開状態にされると共に、前記弁体の後端部が移動して、前記収納部内に挿入された別の雫受け器の弁体の先端部を押すことを特徴とする請求項１に記載の雫受け器。
【請求項３】
先端部を下方に向けた状態で、前記貯水部の内面が水平面に対して傾きを有するテーパ状に形成されることを特徴とする請求項１又は２に記載の雫受け器。
【請求項４】
前記収納部は、雨傘を収納可能とすべく、雨傘の差込み口から前記貯水部への向きを長手方向とするカバー部を有し、該カバー部の内壁面に長手方向に延びる縦突起部を周方向に間隔を有して複数設けたことを特徴とする請求項１〜３の何れか１項に記載の雫受け器。
【発明の詳細な説明】
【技術分野】
【０００１】
本発明は、雨傘の少なくとも先端部を納めると共に、雨傘から滴下する雫を貯めて、適宜貯まった雨水を排出することができる雫受け器に関するものである。
【背景技術】
【０００２】
従来から、スーパーマーケットや百貨店等不特定多数の人が利用する施設においては、雨水で濡れた折り畳んだ雨傘を持ち歩く際に、雨傘から滴下する雫を受けるために、ビニール袋が用いられている。
【０００３】
ビニール袋は、かさ張らずに使用することができるものであるが、使用後、水が貯まっているものは携帯されず、使い捨てられてごみとなり、資源を浪費することになってしまう。また、濡れた雨傘にビニール袋を被せる際、雨水で手が濡れるという問題点がある。そこで、床を雫で濡らすことがなく雨水を回収できると共に、資源の浪費を防ぎ、片手で容易に雨傘に取り付けることができるものとして、図９に示す雫受け器が提案されている（特許文献１参照）。
【０００４】
この雫受け器３３は、雨傘を差し込み挟持するためのインナー３４と、インナー３４の下部に嵌着した本体３５と、本体３５の下部に取り付けた貯水体３６と、貯水体３６の底部に設けた排水口３７を塞ぐパッキング３８を貼着した受け板３９と、受け板３９と貯水体３６の間に介在したばね４０とを備えるものであり、受け板の底面を適合した突起部材に押し当てることにより、貯水体内に貯まった雨水を排出することができる。
【特許文献１】実開平６−１３５３１号公報
【発明の開示】
【発明が解決しようとする課題】
【０００５】
しかしながら、前記雫受け器は、回収及び保管のためのラックが１個ずつ横方向に並べるレイアウト構造であるため、スーパーマーケットや百貨店等多数の人が利用する施設においては、多数の雫受け器を並べるスペースを確保しなければならない。
【０００６】
そこで、本発明は、かかる実情に鑑みてなされたもので、雨傘の雫が垂れる部分を納めると共に、雨傘から滴下する雫を貯めて、適宜貯まった雨水を確実に排出することができ、且つ設置スペースを小さくすることができる雫受け器を提供することを課題とする。
【課題を解決するための手段】
【０００７】
本発明に係る雫受け器は、上記課題を解決するためになされたものであり、閉じられた雨傘の少なくとも先端部を収納可能な収納部と、該収納部に連設されて前記雨傘から滴下する雫を貯める貯水部とを備え、前記貯水部は、先端部に開口を有すると共に、該開口を閉鎖する弁閉状態と、開口を開放する弁開状態とに切り替え可能な弁体が内部に設けられ、しかも、少なくとも先端部が収納部内に挿入可能な形状であると共に、別の雫受け器の収納部内に挿入された状態で、前記弁体の先端部が相手側の弁体の後端部と当接して両弁体が作動的に連結するように構成されることを特徴とするものである。
【０００８】
上記構成の雫受け器によれば、弁体が貯水部の開口を閉鎖する弁閉状態となっていることで、濡れた雨傘から滴下する収納部内の雫は、貯水部内に至って貯水され、外部に漏れ出ることはない。そして、貯水部内の貯水を排水する場合は、弁体を弁閉状態から移動させ、弁開状態にして貯水部の開口を開放し、この開口から内部に貯水された水を排水させる。また、貯水部の少なくとも先端部が収納部内に挿入可能な形状であることで、複数の雫受け器を縦方向に重ねることができるようになっており、別の雫受け器の収納部内に挿入された状態で、弁体の先端部が相手側の弁体の後端部と当接して両弁体が作動的に連結することで、何れの雫受け器の貯水部も同時的に弁閉状態から弁開状態に切り替えられ得る。そのため、複数の雫受け器を縦方向に重ね、重ねた状態で各雫受け器の貯水部が弁開状態にされることで、各雫受け器から雨水が順次下方に排出されるようになっている。
【０００９】
また、本発明に係る雫受け器は、前記弁体の先端部が押されることにより、前記貯水部が弁開状態にされると共に、前記弁体の後端部が移動して、前記収納部内に挿入された別の雫受け器の弁体の先端部を押す構成であることが好ましい。
【００１０】
上記構成の雫受け器によれば、弁体の後端部が移動して、収納部内に挿入された別の雫受け器の弁体の先端部を押すことで、別の雫受け器の貯水部を完全な弁開状態にすることができる。
【００１１】
また、本発明に係る雫受け器は、先端部を下方に向けた状態で、前記貯水部の内面が水平面に対して傾きを有するテーパ状に形成されることが好ましい。
【００１２】
上記構成の雫受け器によれば、先端部を下方に向けると、貯水部内の雨水が先端部の開口に向かって流れるようになる。そのため、貯水部内の雨水を確実に排出することができる。
【００１３】
また、本発明に係る雫受け器は、前記収納部が、雨傘を収納可能とすべく、雨傘の差込み口から前記貯水部への向きを長手方向とするカバー部を有し、該カバー部の内壁面に長手方向に延びる縦突起部を周方向に間隔を有して複数設けた構成であることが好ましい。
【００１４】
上記構成の雫受け器の長手方向に延びる縦突起部とは、カバー部の内壁面において、雨傘の差込み口付近から貯水部が連設される付近にかけて連続的に又は断続的に設けられている突部である。この縦突起部は、内壁面に付着した雨水が伝わるガイドになると共に、別の雫受け器が重ねられた時に、カバー部の内壁面と別の雫受け器のカバー部の外壁面とが面で接することがないようにし、その間に雨水が表面張力で残余することのないスペーサとしての役割を果たす。
【発明の効果】
【００１５】
以上のように、本発明に係る雫受け器によれば、雨傘から滴下する雫を確実に貯めて、適宜貯まった雨水を確実に排出することができ、且つ設置スペースを小さくすることができるという優れた効果を奏し得る。
【発明を実施するための最良の形態】
【００１６】
以下、本発明に係る雫受け器の一実施形態である傘入れについて図を参照しつつ説明する。図１は、本実施形態に係る傘入れ１を示す斜視図、図２は、同傘入れ１を固定するスタンド２を含めた全体斜視図である。
【００１７】
本実施形態に係る傘入れ１は、閉じられた雨傘を収納する収納部としての収納体３と、この収納体３に連設して取り付けられている、雨傘から滴下する雫を貯める貯水部としての貯水体４とを備えている。また、この傘入れ１を上方から差し込み可能で、差し込まれた傘入れ１が倒れないようにするためのスタンド２が別途提供される。
【００１８】
収納体３は、円錐形状のカバー部５と、人が持ち歩く際に掴む取っ手６とを備えている。取っ手６は、一対の紐状体からなり、各取っ手６の両端部がカバー部５の上方開口に取り付けられ、弧状となった一対の取っ手６を掴んで携帯ができるようになっている。また、カバー部５の上方開口から差し込まれて収納された雨傘は、その先端部が収納体３の底部まで入り込むので、折畳み傘や子供用傘等、短い雨傘が収納されている場合にそれを取り出し易くできるように、カバー部５には、上方開口からカバー体の長手方向に沿って切り欠かれたスリット７が設けられている。
【００１９】
図３、図４は、貯水体４を示す正断面図である。なお、図３、図４は、何れも先端部を下に向けた状態であり、図４は、傘入れ１が前記スタンド２に差し込まれて固定された時の状態を示している。貯水体４は、後端部で前記収納体３に連設され、先端部に開口としての排水口８を有する。貯水体４は、円錐形状の集水筒９を有し、その内部に、収納体３の内部空間と貯水体４の内部空間とを仕切るための仕切部材１０と、この仕切部材１０によって摺動可能に支持され、前記排水口８を閉鎖する弁閉状態（図３）と開放する弁開状態（図４）とを切り替える弁体１１とを有する構造となっている。
【００２０】
集水筒９は、その後端部が前記収納体３の（カバー部５の）先端部に取り付けられている。より詳しくは、カバー部５の筒状の先端部の外周面に雄ネジ１２が形成される一方、集水筒９の筒状の後端部の内周面に雌ネジ１３が形成され、両ネジが螺合することにより、集水筒９は、カバー部５の先端部に着脱自在に取り付けられる。
【００２１】
また、集水筒９の外周面と収納体３のカバー部５の外周面とは、長手方向に対して同一ないし略同一角度のテーパを有し、また、上記のように取り付けた際、集水筒９の外周面とカバー部５の外周面とが面一ないし略面一となるように形状が設定されており、その結果、集水筒９からカバー部５にかけて（即ち、貯水体４から収納体３にかけて）一体の円錐形状を呈するようになる。ただし、集水筒９の先端部に前記排水口８を形成できるように、後端部から先端部に向かう途中より、外径を絞って上記テーパ角を大きくしている。また、排水口８付近では集水筒９の肉厚を大きくしている。
【００２２】
集水筒９の先端部の先端面は、環状で、且つ、平坦な形状になっている。そこで、雨水が排出される通路を確保するために、集水筒９の内と外とを連通するように、この平坦な面に排水溝１４が設けられている。この排水溝１４は、放射状に複数形成されている。
【００２３】
仕切部材１０は、集水筒９における後端部付近の内周面に嵌合されて取り付けられている。より詳しくは、仕切部材１０は、収納体３から貯水体４にかけての長手方向と直交するように配置される円板状の部材である。そして、仕切部材１０の外周縁に形成された当止め部１５が集水筒９の内周面に形成された段差状の当止め部１６に係止され、さらには、仕切部材１０の当止め部１５が収納体３のカバー部５の筒状の先端部によって上方から押圧されることにより、即ち、仕切部材１０の当止め部１５がカバー部５の先端部と集水筒９の内周の当止め部１６とに挟持されることにより、集水筒９内で仕切部材１０がずれることがないようになっている。なお、取付け強度を確保するために、接着剤が使用されることもある。
【００２４】
また、仕切部材１０はガイド部１７を備える。このガイド部１７は、略円筒形状であり、仕切部材１０の中心に設けられ、前記弁体１１の弁軸１９を摺動可能に支持するものである。このガイド部１７の周りは、平坦面を有する円板形状となっており、ガイド部１７の収納体側の端部は、平坦面より長さＳだけ突出している。また、前記円板形状の部分には、収納体３から貯水体４内に雨水を通すための通水口１８が設けられている。
【００２５】
弁体１１は、弁軸１９と、コイルばね２０と、止水部材２１とを備えている。弁軸１９は、収納体３から貯水体４にかけての長手方向に沿って配置され、中空円筒形状であり、後端部側で仕切部材１０のガイド部１７により支持される。また、仕切部材１０のガイド部１７には、付勢部材としてのコイルばね２０が収納されており、弁軸１９に設けられたつばＡ２２と仕切部材１０との間で弾性力が加えられ、弁軸１９が排水口８へ向かって常時付勢されるようになっている。止水部材２１は、弁軸１９の先端部側に設けられたつばＢ２３とつばＣ２４との間に外嵌され、環状の径の異なる止水部２５を複数段有しており、弁閉状態では各段が上記弾性力により集水筒９の内面に押し当てられるようになっている。この止水部材２１は、各段において、径外方向へ向かって肉厚が小さくなり、集水筒９の内面に押し当てられた際に曲がり易いようになっている。
【００２６】
図３に示す弁閉状態では、弁軸１９の後端部２６の端面を仕切部材１０のガイド部１７の端部の端面と面一ないし略面一に位置させると共に、弁軸１９の先端部２７を、集水筒９の先端部の端面より、長さＳだけ凹んだ所に位置させる。一方、図４に示す弁開状態では、傘入れ１の自重により、スタンド２に設けられた長さＴの突部２８に弁体１１の先端部２７が押されてコイルばね２０が縮み、弁軸１９の後端部２６が仕切部材１０におけるガイド部１７の収納体側の端部より距離Ｌだけ移動（突出）することになる。ここで、距離Ｌ＝長さＴ−長さＳ、という関係になる。この弁開状態では、止水部材２１の止水部２５は集水筒９の内面から離れ、雨水が排出される通路が形成される。
【００２７】
本実施形態では、貯水体内における構造物は、排水時に雨水が残らないように、先端部が下方に向けられた状態では、何れも上方に開放された水平面を有しないようになっている。即ち、集水筒９の内面やつばＡ２２、つばＢ２３及び止水部２５の上面等は、何れも水平面に対して傾きを有するようになっている。
【００２８】
図５は、弁閉状態で、濡れた雨傘が収納されている貯水体４を示す正断面図である。貯水体４が収納体３に連設されているので、雨傘から滴下する雫は、傘入れ１の外部に漏れることはない。また、弁閉状態では排水口８が閉鎖されているので、雨水を貯める閉じた空間が形成される。即ち、雨傘から滴下する雫は、仕切部材１０に設けられた通水口１８を通して貯水体４の下方へ流れて貯まってゆくようになる。ここで、止水部材２１が止水部２５を複数段有しているので、上段の止水部２５と集水筒９の内面との間で水が漏れても、中段又は下段の止水部２５により水を漏らさないようにすることができる。
【００２９】
なお、弁体１１の先端部２７は、何れの状態でも排水口８より外部に突出することはないので、濡れた雨傘を収納した傘入れ１が先端部を下に向けて平坦な床に置かれても、弁体１１の先端部２７が押されることはなく、貯まった雨水が排出されることはない。また、貯水体４は収納体３にネジが螺合する方式で取り付けられているので、収納された雨傘や貯まった雨水の重みにより、貯水体４が収納体３から脱落することはない。
【００３０】
図６は、複数の傘入れ１，…が重ねられて弁開状態になっていることを示す正断面図である。収納体３及び貯水体４は円錐形状であり、収納体３の取付け部の内径が、貯水体４の先端部の外径より大きいので、図に示すように、貯水体４が別の傘入れ１の収納体３に挿入されて重ねられ得る。図６は、傘入れ１がスタンド２に差し込まれて固定された時の状態を示しており、各傘入れ１は縦方向に重ねられている。このように重ねることができるので、使用後に傘入れ１を回収する際には、１個ずつ横方向に並べる必要はない。
【００３１】
図６は、スタンド２に設けられた突部２８によって、最も下に位置する傘入れ１の弁体１１の先端部２７が押されている状態を示している。この場合、この傘入れ１の貯水体４が弁開状態になると共に、弁体１１の弁軸１９の後端部２６が仕切部材１０におけるガイド部１７の収納体側の端部より距離Ｌだけ移動（突出）し、さらに、上に重ねられた傘入れ１の弁体１１の先端部２７が押されることになる。そこで、上に重ねられた傘入れ１の貯水体４が弁開状態になると共に、弁体１１の弁軸１９の後端部２６が仕切部材１０におけるガイド部１７の収納体側の端部より距離Ｌだけ移動することになる。このように、複数の傘入れ１，…の各弁体１１が作動的に連結しているので、重ねられた何れの傘入れ１の貯水部も同時的に完全な弁開状態となる。
【００３２】
上記弁開状態では、各傘入れ１の弁体１１の弁軸１９に取り付けられた止水部材２１の止水部２５は集水筒９の内面から離れ、貯水体４に貯まった雨水は排水口８から排出される。さらに下に別の傘入れ１がある場合には、排出された雨水は、この別の傘入れ１の仕切部材１０の通水口１８に流入する。最も下に位置する傘入れ１から排出された雨水は、スタンド２に設けられた通水口２９を通して外部に排出される。なお、各傘入れ１が先端部を下に向けて縦方向に重ねられているので、排水時に貯水体内に雨水が残ることはない。
【００３３】
ところで、傘入れ１を使用した後は、収納体３のカバー部５の内面が雨水で濡れているので、複数の傘入れ１，…を重ねると、挿入した傘入れ１のカバー部５の外面と挿入された傘入れ１の濡れているカバー部５の内面とが接した場合、挿入した傘入れ１のカバー部５の外面が濡れてしまうことになる。この場合、次に傘入れ１を使用する者の衣服や荷物等が、前記カバー部５の外面に接して濡れてしまうという問題点がある。
【００３４】
そこで、本実施形態に係る傘入れ１は、図１に示す通り、収納体３のカバー部５の外面に円周方向に延伸する複数の横突起部３０，…を設け、収納体３のカバー部５の内面に長手方向に延伸する複数の縦突起部３１，…を設けている。これらの突起部があることにより、収納体３のカバー部５の内面と外面とが面で接することがなくなり、複数の傘入れ１，…を重ねた後も、カバー部５の外面に付着する雨水は少なくなる。なお、収納体３のカバー部５の内面に円周方向に延伸する複数の横突起部を設け、収納体３のカバー部５の外面に長手方向に延伸する複数の縦突起部を設けた場合にも、上記と同様の効果を奏するが、内面に縦突起部がある形態の方が雨傘の収納時に引っ掛かることがなく好ましい。また、縦突起部を伝わって雨水が下方に流れ易くなるので、この点でも、カバー部５の内面に縦突起部３１を設ける形態の方が好ましい。
【００３５】
以上のように、本実施形態に係る傘入れ１によれば、貯水体４が収納体３に連設されていることで、濡れた雨傘から滴下する雫を確実に貯めることができる。また、貯水体４が先端部に排出口を有すると共に、貯水体４の内部に設けられた弁体１１が、この排水口８を閉鎖する弁閉状態と、排水口８を開放する弁開状態とに切り替えることで、貯水と排水とを行うことができる。
【００３６】
また、貯水体４の先端部が収納体内に挿入可能であることで、複数の傘入れ１，…を重ねることができると共に、別の傘入れ１の収納体内に挿入された状態で、弁体１１の弁軸１９の先端部２７が相手側の弁体１１の弁軸１９の後端部２６と当接して両弁体が作動的に連結するように構成されることで、重ねた状態で排水を行うことができる。さらに、傘入れ１を縦方向に重ねることにより、重ねられた何れの傘入れ１も、貯水部に貯まった雨水を確実に排出することができる。なお、スタンドの上に複数の傘入れ１，…を重ねることができるので、傘入れ１を回収する場所の面積を小さくすることができる。
【００３７】
また、貯水体４が収納体３にネジが螺合する方式で取り付けられているので、傘入れ１の保守の際に、貯水体４をはずして、仕切部材１０の通水口１８に詰まった石やごみ等を取り除くことができる。
【００３８】
また、濡れた雨傘が収納体３に納められ、複数の傘入れ１，…が重ねられた後も収納体３のカバー部５の外面に付着する雨水を少なくできるので、傘入れ１を使用する者の衣服や荷物等が濡れてしまうことを少なくできる。
【００３９】
なお、本発明は、上記実施形態に限定されるものではなく、本発明の要旨を逸脱しない範囲内において種々変更を加え得ることは勿論である。
【００４０】
例えば、上記実施形態においては、仕切部材１０は貯水体４に取り付けられていたが、これに限定されるものではなく、例えば、仕切部材を収納体側に設けてもよく、図７に示すように、収納体３の側の仕切部としてカバー部５と一体に形成されているものであってもよい。また、図７に示す他の実施形態に係る傘入れ１の貯水体４においては、止水部材は弁体１１に取り付けられず、弁体１１の弁軸１９の先端部２７がゴム製の集水筒９の内面に押し当てられることで弁閉状態となる。
【００４１】
図８は、他の実施形態に係る傘入れ１の貯水体４の弁開状態を示す正断面図である。本図は、傘入れ１がスタンド２の挿入部３２に差し込まれて固定された時の状態を示している。スタンド２に設けられた突部２８に弁体１１の先端部２７が押されてコイルばね２０が縮み、弁体１１の弁軸１９の後端部２６が移動している状態が示されている。この弁開状態では、貯水体４に貯まった雨水は排水口８から排水溝１４を通して排出され、さらに、スタンド２に設けられた通水口２９を通して外部に排出される。
【００４２】
また、上記実施形態においては、収納体３と貯水体４の外形は円錐形状であるとしたが、貯水体４の少なくとも先端部が収納体内に挿入可能な形状であれば、例えば、角錐形状であっても、当然に同様の作用及び効果を奏する。
【００４３】
また、上記実施形態においては、収納体３と貯水体４とが別々に構成され、分離可能となっているが、両者が一体的に構成されていてもよい。その場合、収納部と貯水部として特定される。
【００４４】
また、上記実施形態においては、貯水体４の先端部の排水口８に排水溝１４が形成されていることとしたが、スタンド２に設けられる通水口２９が貯水体４の先端部の排水口８より内側に位置する場合には、前記排水溝１４は不要となる。
【００４５】
また、上記実施形態においては、収納体３のカバー部５の外面に円周方向に延伸する複数の横突起部３０，…を設け、収納体３のカバー部５の内面に長手方向に延伸する複数の縦突起部３１，…を設けているが、カバー部５の外面に縦突起部を設けてもよい。この場合、横突起部３０に替わるものとしてもよく、横突起部３０と並存するものとしてもよい。
【図面の簡単な説明】
【００４６】
【図１】本発明の一実施形態の傘入れを示す斜視図である。
【図２】同実施形態に係る傘入れと、この傘入れを固定するスタンドとを含めた全体斜視図である。
【図３】同実施形態に係る傘入れの貯水体の弁閉状態を示す正断面図である。
【図４】同実施形態に係る傘入れの貯水体の弁開状態を示す正断面図である。
【図５】同実施形態に係る傘入れの貯水体が、弁閉状態で濡れた雨傘が収納されていることを示す正断面図である。
【図６】同実施形態に係る傘入れが複数重ねられて弁開状態になっていることを示す正断面図である。
【図７】本発明の他の実施形態に係る傘入れの貯水体の弁閉状態を示す正断面図である。
【図８】本発明の他の実施形態に係る傘入れの貯水体の弁開状態を示す正断面図である。
【図９】従来の雫受け器を示す正断面図である。
【符号の説明】
【００４７】
１…傘入れ、２…スタンド、３…収納体、４…貯水体、５…カバー部、６…取っ手、７…スリット、８…排水口、９…集水筒、１０…仕切部材、１１…弁体、１２…雄ネジ、１３…雌ネジ、１４…排水溝、１５…当止め部、１６…当止め部、１７…ガイド部、１８…通水口、１９…弁軸、２０…コイルばね、２１…止水部材、２２…つばＡ、２３…つばＢ、２４…つばＣ、２５…止水部、２６…後端部、２７…先端部、２８…突部、２９…通水口、３０…横突起部、３１…縦突起部、３２…挿入部、Ｓ…長さ、Ｌ…距離、Ｔ…長さ
【図１】
2010148588.tif 000003
【図２】
2010148588.tif 000004
【図３】
2010148588.tif 000005
【図４】
2010148588.tif 000006
【図５】
2010148588.tif 000007
【図６】
2010148588.tif 000008
【図７】
2010148588.tif 000009
【図８】
2010148588.tif 000010
【図９】
2010148588.tif 000011